(57)【要約】【課題】浮腫に形成された指圧痕の深さを定量的に測定することができ、測定及び携帯容易な浮腫測定用ゲージを提供する。【解決手段】指圧痕３０の周囲の頂部３１に架け渡すように当接可能な平坦部位からなる頂部当接部１４が設けられたゲージ本体１１と、ゲージ本体１１に移動可能に支持され、指圧痕３０の中心部３０ａと当接可能な測定端部２３が一端側に設けられ、測定端部２３が頂部当接部１４から直交方向に突出及び収容可能な測定用移動子１２とを備えている。【選択図】図４
2008093158.tif 000002
【特許請求の範囲】
【請求項１】
指圧痕の周囲の頂部に架け渡すように当接可能な平坦部位からなる頂部当接部が設けられたゲージ本体と、
前記ゲージ本体に移動可能に支持され、前記指圧痕の中心部と当接可能な測定端部が一端側に設けられ、該測定端部が前記頂部当接部から直交方向に突出及び収容可能な測定用移動子とを備えたことを特徴とする浮腫測定用ゲージ。
【請求項２】
前記測定用移動子は、前記ゲージ本体に浮腫変形荷重より小さい荷重で摺動可能に支持され、かつ、前記測定用移動子の移動方向が鉛直に配置された状態で、前記測定用移動子の自重による移動を阻止する移動阻止手段が設けられていることを特徴とする請求項１に記載の浮腫測定用ゲージ。
【請求項３】
前記ゲージ本体は、一方の端縁に前記頂部当接部が設けられた板状体からなり、前記測定用移動子は、前記ゲージ本体と平行に配置された板状体からなることを特徴とする請求項１又は２に記載の浮腫測定用ゲージ。
【請求項４】
前記測定用移動子の前記測定端部が前記ゲージ本体の前記頂部当接部に収容された状態で、前記測定用移動子が平面視において前記ゲージ本体の外周より内側に配置されることを特徴とする請求項３に記載の浮腫測定用ゲージ。
【請求項５】
前記測定用移動子は、前記ゲージ本体の厚さ内に摺動可能に収容されていることを特徴とする請求項３又は４に記載の浮腫測定用ゲージ。
【請求項６】
前記ゲージ本体は、前記測定用移動子の側縁部を摺動方向に案内する案内部を備え、該案内部と前記測定用移動子の側縁部とに、互いに摺動可能に嵌合する突条部及び溝部を備えることを特徴とする請求項３乃至５の何れか一つに記載の浮腫測定用ゲージ。
【請求項７】
前記測定用移動子は、前記測定端部が設けられた帯状部と、該帯状部より拡幅した拡幅部と、前記帯状部と前記拡幅部との間に設けられた段差部とを備え、
前記ストッパ手段は、前記測定用移動子が移動することにより前記段差部が当接するように前記ゲージ本体に設けられた段差受部を備えることを特徴とする請求項３乃至６の何れか一つに記載の浮腫測定用ゲージ。
【請求項８】
前記ゲージ本体は、前記測定用移動子の表面の少なくとも一部を被覆する被覆部を備えると共に、該被覆部に前記測定用移動子の表面を露出する所定長さの開口部が開設され、
前記開口部から露出される前記測定用移動子の表面に、前記開口部の端部と当接可能に突設された側面ストッパを備えることを特徴とする請求項３乃至７の何れか一つに記載の浮腫測定用ゲージ。
【請求項９】
前記測定用移動子の前記測定端部とは反対側となる端部側に押圧部を備えると共に、
前記ゲージ本体の前記頂部当接部とは反対側となる端縁側に押圧切欠き部を備え、前記押圧部が前記押圧切欠き部に配置されていることを特徴とする請求項３乃至８の何れか一つに記載の浮腫測定用ゲージ。
【請求項１０】
前記ゲージ本体は、一方側に前記頂部当接部が設けられると共に該頂部当接部と直交する方向に貫通孔が設けられた立体形状体からなり、
前記測定用移動子は、前記貫通孔に摺動可能に配置され、一方側に前記測定端部が設けられると共に他端側に前記ゲージ本体から突出した押圧部を備えた柱状体からなることを特徴とする請求項１又は２に記載の浮腫測定用ゲージ。
【請求項１１】
前記ゲージ本体は、前記貫通孔が設けられた固定部を備え、前記頂部当接部が前記固定部に開閉可能に設けられていることを特徴とする請求項１０に記載の浮腫測定用ゲージ。
【請求項１２】
前記ゲージ本体は、一方の面に前記頂部当接部が設けられた板状体からなり、前記測定用移動子は、前記頂部当接部に沿うように折り畳み可能に構成されていることを特徴とする請求項１０に記載の浮腫測定用ゲージ。
【請求項１３】
前記貫通孔の内壁面と前記板状体の中間部の側面の所定範囲とに、互いに摺動可能に嵌合するように形成された突部及び溝部を備え、前記溝部の端部に前記突部が当接することにより前記測定用移動子の前記ゲージ本体に対する移動が規制されることを特徴とする請求項１０乃至１２に記載の浮腫測定用ゲージ。
【発明の詳細な説明】
【技術分野】
【０００１】
この発明は、患者の浮腫を測定するためのゲージに係り、特に、浮腫の指圧痕の深さを測定するための浮腫測定用ゲージに関する。
【背景技術】
【０００２】
従来、医療現場では、皮下組織内に体液が異常に滞留した状態で形成される浮腫の検査が行われており、浮腫の検査方法として、医師が指により浮腫を指圧して開放することにより指圧痕を残留させ、この残留した指圧痕の有無を目視により検査することが行われている。
【０００３】
しかし、このような指圧痕を目視により検査する場合には、その深さが定量的に把握されていないため、検査結果に誤差が含まれるなど、指圧痕の検査結果を利用し難かった。
【０００４】
この浮腫の指圧痕を測定するために、デブスゲージ等のような測定器具を用いるとすれば、取扱いに手間を要するため、軟質の浮腫を変形させ易く、また、患部を刺激し易いため、正確に測定することが容易でなかった。
【０００５】
また、生体の腫瘍を検査する計測器具として、例えば下記特許文献１のような生体用硬さ計などが知られている。
【０００６】
この特許文献１では、生体の被測定部位を押圧するための探棒と、被測定部位の周辺を押さえるための辺圧板と、前記探棒に押力を加えるための第１バネと、前記辺圧板が先端に配設されると共に、前記第１バネの一端を位置規制し、前記探棒を前記第１バネの弾性力に抗して摺動可能に案内するガイド部と、該ガイド部材に押力を加えるための第２バネに一定の押力を加えたときの前記探棒の摺動位置より、被測定部位の硬さを測定することを特徴とする生体用硬さ計が提案されている。
【０００７】
この生体用硬さ計では、探棒を被測定部位に当接させた状態で、ガイド部材を被測定部位側に所定圧で押圧すると、辺圧板が被測定部位の周辺を所定圧で押圧し、その内側で探棒が被測定部位を、バネの付勢力を加えた圧力で押圧することにより、生体の硬さに応じて探棒の探部がガイド部材から突出する。そのため、ガイド部材に対する探棒の位置を検出することで、生体の硬さが測定されている。
【０００８】
しかしながら、このような測定器具では、患部やその周囲を押圧して測定するため、浮腫のような軟質の患部では変形を生じ、正確に指圧痕の深さを測定することはできない。
【特許文献１】特開昭６１−２０３９３８号公報
【発明の開示】
【発明が解決しようとする課題】
【０００９】
そこで、この発明は、浮腫に形成された指圧痕の深さを定量的に測定することができる浮腫測定用ゲージを提供することを課題とし、また、携帯容易な浮腫測定用ゲージを提供することを他の課題とする。
【課題を解決するための手段】
【００１０】
かかる課題を解決する請求項１に記載の発明は、指圧痕の周囲の頂部に架け渡すように当接可能な平坦部位からなる頂部当接部が設けられたゲージ本体と、前記ゲージ本体に移動可能に支持され、前記指圧痕の中心部と当接可能な測定端部が一端側に設けられ、該測定端部が前記頂部当接部から直交方向に突出及び収容可能な測定用移動子とを備えたことを特徴とする。
【００１１】
請求項２に記載の発明は、請求項１に記載の構成に加え、前記測定用移動子は、前記ゲージ本体に浮腫変形荷重より小さい荷重で摺動可能に支持され、かつ、前記測定用移動子の移動方向が鉛直に配置された状態で、前記測定用移動子の自重による移動を阻止する移動阻止手段が設けられていることを特徴とする。
【００１２】
請求項３に記載の発明は、請求項１又は２に記載の構成に加え、前記ゲージ本体は、一方の端縁に前記頂部当接部が設けられた板状体からなり、前記測定用移動子は、前記ゲージ本体と平行に配置された板状体からなることを特徴とする。
【００１３】
請求項４に記載の発明は、請求項３に記載の構成に加え、前記測定用移動子の前記測定端部が前記ゲージ本体の前記頂部当接部に収容された状態で、前記測定用移動子が平面視において前記ゲージ本体の外周より内側に配置されることを特徴とする。
【００１４】
請求項５に記載の発明は、請求項３又は４に記載の構成に加え、前記測定用移動子は、前記ゲージ本体の厚さ内に摺動可能に収容されていることを特徴とする。
【００１５】
請求項６に記載の発明は、請求項３乃至５の何れか一つに記載の構成に加え、前記ゲージ本体は、前記測定用移動子の側縁部を摺動方向に案内する案内部を備え、該案内部と前記測定用移動子の側縁部とに、互いに摺動可能に嵌合する突条部及び溝部を備えることを特徴とする。
【００１６】
請求項７に記載の発明は、請求項３乃至６の何れか一つに記載の構成に加え、前記測定用移動子は、前記測定端部が設けられた帯状部と、該帯状部より拡幅した拡幅部と、前記帯状部と前記拡幅部との間に設けられた段差部とを備え、前記ストッパ手段は、前記測定用移動子が移動することにより前記段差部が当接するように前記ゲージ本体に設けられた段差受部を備えることを特徴とする。
【００１７】
請求項８に記載の発明は、請求項３乃至７の何れか一つに記載の構成に加え、前記ゲージ本体は、前記測定用移動子の表面の少なくとも一部を被覆する被覆部を備えると共に、該被覆部に前記測定用移動子の表面を露出する所定長さの開口部が開設され、前記開口部から露出される前記測定用移動子の表面に、前記開口部の端部と当接可能に突設された側面ストッパを備えることを特徴とする。
【００１８】
請求項９に記載の発明は、請求項３乃至８の何れか一つに記載の構成に加え、前記測定用移動子の前記測定端部とは反対側となる端部側に押圧部を備えると共に、前記ゲージ本体の前記頂部当接部とは反対側となる端縁側に押圧切欠き部を備え、前記押圧部が前記押圧切欠き部に配置されていることを特徴とする。
【００１９】
請求項１０に記載の発明は、請求項１又は２に記載の構成に加え、前記ゲージ本体は、一方側に前記頂部当接部が設けられると共に該頂部当接部と直交する方向に貫通孔が設けられた立体形状体からなり、前記測定用移動子は、前記貫通孔に摺動可能に配置され、一方側に前記測定端部が設けられると共に他端側に前記ゲージ本体から突出した押圧部を備えた柱状体からなることを特徴とする。
【００２０】
請求項１１に記載の発明は、請求項１０に記載の構成に加え、前記ゲージ本体は、前記貫通孔が設けられた固定部を備え、前記頂部当接部が前記固定部に開閉可能に設けられていることを特徴とする。
【００２１】
請求項１２に記載の発明は、請求項１０に記載の構成に加え、前記ゲージ本体は、一方の面に前記頂部当接部が設けられた板状体からなり、前記測定用移動子は、前記頂部当接部に沿うように折り畳み可能に構成されていることを特徴とする。
【００２２】
請求項１３に記載の発明は、請求項１０乃至１２に記載の構成に加え、前記貫通孔の内壁面と前記板状体の中間部の側面の所定範囲とに、互いに摺動可能に嵌合するように形成された突部及び溝部を備え、前記溝部の端部に前記突部が当接することにより前記測定用移動子の前記ゲージ本体に対する移動が規制されることを特徴とする。
【発明の効果】
【００２３】
請求項１に記載の発明によれば、ゲージ本体の頂部当接部を指圧痕の周囲の頂部に掛け渡すように当接させると共に、測定用移動子を移動させて測定端部を指圧痕の中心部に当接させれば、測定端部の頂部当接部からの突出量により浮腫に形成された指圧痕の深さを容易に定量的に測定することが可能である。
【００２４】
請求項２に記載の発明によれば、測定用移動子がゲージ本体に浮腫変形荷重より小さい荷重で摺動可能に支持されているので、指圧痕の周囲の頂部に当接させて測定用移動子を摺動させる際、指圧痕の周囲の頂部に過剰な荷重が負荷され難く、測定時に浮腫が変形されることを防止して精度よく指圧痕の深さを測定することができ、また、測定用移動子の移動方向が鉛直に配置された状態で、前記測定用移動子の自重による移動を阻止する移動阻止手段が設けられているので、測定端部を突出させた状態でゲージ本体を浮腫から離して持上げても測定用移動子が移動しないため、浮腫から離して突出量を読み取ることができる。そのため使い勝手がよい。
【００２５】
請求項３に記載の発明によれば、ゲージ本体が板状体からなると共に、測定用移動子がゲージ本体と平行に配置された板状体からなるので、浮腫測定用ゲージを薄く形成することができ、携帯し易い。
【００２６】
請求項４に記載の発明によれば、測定用移動子の測定端部がゲージ本体に収容された状態で、測定用移動子が平面視においてゲージ本体の外周より内側に配置されるので、測定端部を突出させない状態では、ゲージ本体の外周側へ突出する部分がなく、より携帯し易くできる。
【００２７】
請求項５に記載の発明によれば、測定用移動子がゲージ本体の厚さ内に摺動可能に収納されているので、測定用移動子の測定端部がゲージ本体に収容された状態では、ゲージ本体の厚さ方向に突出する部分がなく、より携帯し易くできる。
【００２８】
請求項６に記載の発明によれば、ゲージ本体が測定用移動子の側縁部を摺動方向に案内する案内部を備え、この案内部と測定用移動子の側縁部とに、互いに摺動可能に嵌合する突条部及び溝部を備えているので、測定用移動子を精度よく確実に摺動可能に支持することが可能であると共に、突条部及び溝部の形状を調整することで、測定用移動子の摺動抵抗を調整することができ、摺動抵抗の調整が容易である。
【００２９】
請求項７に記載の発明によれば、測定用移動子が移動することにより段差部が当接するようにゲージ本体に段差受部が設けられているので、測定用移動子が離脱することを簡単な構成で確実に防止することができる。
【００３０】
請求項８に記載の発明によれば、測定用移動子の表面がゲージ本体の被覆部により被覆され、この被覆部に測定用移動子の表面を露出する所定長さの開口部が開設され、この開口部から露出される測定用移動子の表面に開口部の端部と当接可能な側面ストッパが設けられているので、側面ストッパをゲージ本体から外側に突出させて設ける必要がなく、外形形状を滑らかに形成することができると共に、開口部及び側面ストッパの大きさや配置を調整することで、測定用移動子の摺動量を容易に規制することができる。
【００３１】
請求項９に記載の発明によれば、測定用移動子の測定端部とは反対側となる端部側に押圧部を備えると共に、ゲージ本体の頂部当接部とは反対側となる端縁側に押圧切欠き部を備え、押圧部が押圧切欠き部に配置されているので、押圧部をゲージ本体から外側に突出させることなく、測定用移動子を容易に押圧して測定端部を突出させることができ、使い勝手がよい。
【００３２】
請求項１０に記載の発明によれば、ゲージ本体が一方側に頂部当接部が設けられると共に頂部当接部と直交する方向に貫通孔が設けられた立体形状体からなり、測定用移動子が貫通孔に摺動可能に配置されて、一方側に測定端部が設けられると共に他端側にゲージ本体から突出した押圧部を備えた柱状体からなるので、押圧部を押圧することで、立体形状部から測定用移動子を容易に突出させることができ、指圧痕の深さを容易に測定することができ、
【００３３】
請求項１１に記載の発明によれば、ゲージ本体が貫通孔を設けられた固定部を備え、頂部当接部が固定部に開閉可能に設けられているので、測定時以外には貫通孔に対して直交方向に広がる頂部当接部を閉じて嵩張らない形状にすることができ、携帯し易くできる。
【００３４】
請求項１２に記載の発明によれば、ゲージ本体が一方の面に頂部当接部が設けられた板状体からなり、測定用移動子が頂部当接部に沿うように折り畳み可能に構成されているので、測定時以外には測定用移動子を折り畳んで嵩張らない形状にすることができ、携帯し易くできる。
【００３５】
請求項１３に記載の発明によれば、側面ストッパが貫通孔の内壁面と板状体の中間部の側面の所定範囲とに、互いに摺動可能に嵌合するように形成された突部及び溝部を備え、溝部の端部に突部が当接することにより測定用移動子のゲージ本体に対する移動が規制されるので、測定用移動子のゲージ本体に対する移動を規制するための部位を外側に突出させて設ける必要がなく、外形形状を滑らかに形成し易い。
【発明を実施するための最良の形態】
【００３６】
以下、本発明の実施の形態を、図面を用いて説明する。
［実施の形態１］
【００３７】
図１乃至図４は、この実施の形態１の浮腫測定用ゲージを示す。
【００３８】
この浮腫測定用ゲージ１０は、所謂略カード形状のゲージ本体１１と、このゲージ本体１１に移動可能に支持された測定用移動子１２とを備え、それぞれの表面の対応する位置に、相対位置を表示する目盛部１３が設けられている。
【００３９】
ゲージ本体１１は、平面視における外周囲が縦長の略長方形を呈する板状体からなり、
一方の端縁が浮腫に当接可能な平坦部位からなる頂部当接部１４となっている。中央部から頂部当接部１４までの範囲には、測定用移動子１２を摺動可能に、厚さ内に収容する収容部１５が設けられている。
【００４０】
この収容部１５は、ゲージ本体１１を厚さ方向に貫通して両面に開口して設けられており、両側縁には測定用移動子１２側縁部を摺動方向に案内する案内部１６が設けられている。
【００４１】
両側縁の案内部１６は、測定用移動子１２の後述する帯状部２１を摺動可能に支持する帯状部摺動部１７と、帯状部摺動部１７間より拡幅して、後述する拡幅部２２が摺動可能に支持する拡幅部摺動部１８とを備えている。これらの帯状部摺動部１７及び拡幅部摺動部１８は何れも頂部当接部１４に対して直交する方向に形成されている。
【００４２】
測定用移動子１２は、ゲージ本体１１の表裏面と平行な表裏面を有する板状体からなる。この実施の形態１では、測定用移動子１２は帯状部２１と、帯状部２１より拡幅した拡幅部２２とを備えている。帯状部２１の先端には、浮腫の指圧痕の中心部に当接可能な測定端部２３が設けられている。測定端部２３は、浮腫に当接した際の刺激を緩和するために両側縁側に角部のない滑らかな形状とされており、好ましくは、弧状等の曲線形状、球面状等の曲面形状に形成されているのが好適である。
【００４３】
この測定用移動子１２は長手方向全長が収容部１５の全長と同一長さに形成され、帯状部２１及び拡幅部２２の両側縁が平行に形成されて、それぞれ帯状部摺動部１７及び拡幅部摺動部１８に摺動可能に支持されている。また、帯状部２１の摺動方向と平行な辺長はゲージ本体１１の帯状部摺動部１７より長く、一方、拡幅部２２の摺動方向と平行な辺長は拡幅部摺動部１８より短く形成されている。これにより測定用移動子１２は、帯状部２１及び拡幅部２２がゲージ本体１１の帯状部摺動部１７及び拡幅部摺動部１８により案内されて摺動可能となっており、先端部の測定端部２３が頂部当接部１４から直交方向に突出及び収容可能となっている。
【００４４】
また、測定用移動子１２の拡幅部２２の帯状部２１側の端部には、段差部２２ａが設けられ、段差部２２ａがゲージ本体１１の帯状部収容部１７の端部に設けられた段差受部１７ａに当接可能となっている。段差部２２ａを段差受部１７ａに当接させた状態では、図中仮想線で示すように、帯状部２１の一方側への移動量及び測定端部２３の頂部当接部１４からの突出量が規制される。一方、拡幅部２２の他方の端部２２ｂが収容部１５の端部１５ｄに当接可能となっている。当接させた状態では、帯状部２１の他方側への移動量及び測定端部２３の収容量が規制され、測定端部２３がゲージ本体１１の収容部１５内に収容されるようになっている。収容部１５内に最も収容された状態では、平面視において、ゲージ本体１１より小さく形成されているため、ゲージ本体１１の外周より内側に測定用移動子１２の全体が配置される。
【００４５】
これらのゲージ本体１１及び測定用移動子１２は、それぞれ適宜選択される材料により形成することができるが、浮腫発症部位への刺激を軽減する素材により形成されているのが好ましい。このような素材としては、例えば、シリコンゴム、ウレタンゴム等のゴム、ポリウレタン、軟質プラスチック等の樹脂、紙類などが挙げられる。
【００４６】
この実施の形態１では、ゲージ本体１１及び測定用移動子１２は、図２（ａ）〜（ｃ）に示すように、３層構造に形成されており、目盛部１３を有する表面を構成する第１層１１ａ、１２ａと、内部を構成する第２層１１ｂ、１２ｂと、裏面を構成する第３層１１ｃ、１２ｃとからなる。ここでは、第２層は第１層１１ａ、１２ａ及び／又は第３層１１ｃ、１２ｃとを一体に構成してもよく、第１層１１ａ、１２ａ乃至第３層１１ｃ、１２ｃの全体を部分的又は全体的に一体に構成することも可能である。
【００４７】
ゲージ本体１１では、収容部１５を形成するために、各層１１ａ、１１ｂ、１１ｃに切欠部１５ａ、１５ｂ、１５ｃが形成されている。第１層１１ａと第３層１１ｃとに形成された切欠部１５ａ、１５ｃは同一形状を有し、第２層１１ｂに形成された切欠部１５ｂは第１層１１ａ及び第３層１１ｃの切欠部１５ａ、１５ｃより広い幅で形成されている。また、測定用移動子１２でも、第１層１２ａと第３層１２ｃとが同一形状に形成され、第２層１２ｂが第１層１２ａに比べて広い幅に形成されている。
【００４８】
これらの３層を積層させた状態では、図３（ａ）、（ｂ）に示すように、ゲージ本体１１では帯状部摺動部１７及び拡幅部摺動部１８の何れにおいても、第１層１１ａ及び第３層１１ｃに比べて第２層１１ｂが凹んでおり、この凹みにより帯状部摺動部１７及び拡幅部摺動部１８の側縁のそれぞれに、一定幅及び深さで摺動方向に延びる溝部１７ｃ、１８ｃが形成されている。
【００４９】
一方、測定用移動子１２では、帯状部２１及び拡幅部２２の何れにおいても、第１層１２ａ及び第３層１２ｃに比べて第２層１２ｂが突出しており、この突出部分により、帯状部２１及び拡幅部２２の側縁のそれぞれに、一定幅及び高さで摺動方向に延びる突条部２１ｃ、２２ｃが形成されている。これらの突条部２１ｃ、２２ｃは溝部１７ｃ、１８ｃに互いに摺動可能な状態で嵌合されている。
【００５０】
このような実施の形態１の浮腫測定用ゲージ１０では、ゲージ本体１１に対する測定用移動子１２の摺動抵抗が、これらの突条部２１ｃ、２２ｃと溝部１７ｃ、１８ｃとの嵌合部分により主として生じる。そのため、この浮腫測定用ゲージ１０では、この摺動抵抗を主に調整することで、測定用移動子１２を摺動させるのに要する荷重が所定の範囲に調整されている。
【００５１】
ここでは、まず、測定用移動子１２が、浮腫変形荷重より小さい荷重で摺動可能となるように調整されている。浮腫変形荷重とは、浮腫を押圧することにより変形させ得る荷重である。浮腫が軟質であるため、測定用移動子１２を摺動させるのに要する荷重は小さく設定される必要がある。具体的には、例えば、測定用移動子１２に測定端部２３が突出する方向又は収容される方向の荷重を負荷した際、１５０ｇ以下の荷重で摺動可能とされるのが好適である。
【００５２】
その一方、測定用移動子１２の摺動方向が鉛直に配置された状態で、測定用移動子１２の自重による摺動が移動阻止手段としての摺動抵抗により阻止されるように構成されるのが好ましく、例えば、測定用移動子１２を測定端部２３が突出する方向又は収容される方向に荷重を負荷した際、摺動を開始させるのに要する荷重を１ｇ以上とするのが好適である。
【００５３】
なお、ゲージ本体１１及び測定用移動子１２に設けられた目盛部１３としては、ゲージ本体１１に対する測定用移動子１２の移動量が定量的に確認できるものであれば適宜採用可能であるが、ここでは、測定用移動子１２に基準線２５が形成され、一方、ゲージ本体１１の測定用移動子１２が摺動して基準線２５が移動する範囲に、所定間隔、例えば１ｍｍ毎に目盛り２６が形成されている。また、目盛り２６の値の大きさを視認し易くするため、目盛りの所定範囲毎に異なる色を付した着色表示部２７が隣接して設けることも可能である。
【００５４】
次に、以上のような構成を有する実施の形態１の浮腫測定用ゲージ１０を用いて浮腫を測定する方法について説明する。
【００５５】
指圧痕３０の深さを測定するには、まず、患者の浮腫を指により押圧して指圧痕３０を形成する。この指圧痕３０は通常、中心部３０ａが最も凹み、その周囲を囲んで頂部３１が形成される。
【００５６】
次いで、図４に示すように、浮腫測定用ゲージ１０を指圧痕３０にあてがい、中心部３０ａの周囲に形成されている頂部３１の互いに離間した複数の部位に、ゲージ本体１１の頂部当接部１４を垂直に当接させる。そして、拡幅部２２を指で支持して測定用移動子１２を押し下げる。これにより測定用移動子１２が下降し、測定端部２３が中心部３０ａに当接して停止する。このとき、測定用移動子１２が浮腫変形荷重より小さい荷重で下降するため、浮腫が変形されることなく、測定端部２３を下降させることができる。
【００５７】
その後、浮腫測定用ゲージ１０を浮腫から離して持ち上げ、目盛部１３により基準線２５に対応する目盛り２６の値を読み取ることにより、浮腫の指圧痕３０の深さを定量的に測定する。
【００５８】
また、この測定時には、このようにゲージ本体１１の頂部当接部１４を浮腫に当接させてから測定用移動子１２を下降させる方法の他に、次のようにして測定することも可能である。
【００５９】
まず、予め浮腫測定用ゲージ１０の測定用移動子１２を指圧痕３０の深さより大きく突出させておき、指圧痕３０を形成した後、浮腫測定用ゲージ１０を指圧痕３０に近接させる。そして、浮腫痕３０の中心部３０ａに測定用移動子１２の測定端部２３を当接させた状態で、浮腫測定用ゲージ１０を指圧痕３０の中心部３０ａを垂直に向けつつ、ゲージ本体１１の頂部当接部１４を、中心部３０ａの両側の頂部３１に徐々に接近させて当接させる。その後は同様に行うことで測定できる。
【００６０】
以上のような浮腫測定用ゲージ１０によれば、ゲージ本体１１の頂部当接部１４を指圧痕３０の周囲の頂部に当接させると共に、測定用移動子１２の測定端部２３を指圧痕３０の中心部３０ａに当接させれば、測定端部２３の頂部当接部１４からの突出量を目盛部１３により読み取ることができる。そのため、浮腫に形成された指圧痕３０の深さを定量的に測定することが可能である。
【００６１】
また、測定用移動子１２がゲージ本体１１に対して浮腫変形荷重より小さい荷重で摺動可能に支持されているので、指圧痕３０の周囲の頂部３１に当接させて測定用移動子１２を摺動させる際、或いは測定用移動子１２の測定端部２３を浮腫痕３０の中心部３０ａに当接させてゲージ本体１１を摺動させる際、指圧痕３０の周囲の頂部３１や中心部３０ａに過剰な荷重が負荷され難く、測定時に浮腫が変形されることを防止して精度よく指圧痕３０の深さを測定することができる。
【００６２】
更に、測定用移動子１２がゲージ本体１１に対して浮腫変形荷重より小さい荷重で摺動可能に支持されていても、測定用移動子１２の摺動抵抗により、測定用移動子１２の移動方向が鉛直に配置された状態で、測定用移動子１２の自重による移動が阻止されるようになっているので、測定端部２３を突出させた状態でゲージ本体１１を浮腫から離して持上げても測定用移動子１２が位置ズレを生じないため目盛部１３の表示が変化せず、使い勝手がよい。
【００６３】
そして、この浮腫測定用ゲージ１０では、ゲージ本体１１が板状体からなると共に、測定用移動子１２がゲージ本体１１と平行に配置された板状体からなるので、浮腫測定用ゲージ１０を薄く構成することができ、しかもゲージ本体１１が平面視略四角形であるため、携帯し易い。
【００６４】
また、測定用移動子１２の測定端部２３がゲージ本体１１に収容された状態で、測定用移動子１２が平面視においてゲージ本体１１の外周囲より内側に配置されているので、測定用移動子１２を収容部１５に完全に収容して測定端部２３を突出させない状態では、ゲージ本体１１の外周側へ突出する部分がなく、特に、測定用移動子１２がゲージ本体１１の内部に摺動可能に収容されているので、ゲージ本体１１の全周囲から突出する部分がなく、より携帯し易い。
【００６５】
また、ゲージ本体１１が測定用移動子１２の側縁部を摺動方向に案内する案内部１６を備え、この案内部１６と測定用移動子１２の側縁部とに、互いに摺動可能に嵌合する突条部２１ｃ、２２ｃ及び溝部１７ｃ、１８ｃを備えているので、測定用移動子１２を精度よく確実に摺動可能に支持することが可能であると共に、突条部２１ｃ、２２ｃ及び溝部１７ｃ、１８ｃの形状を調整することで、測定用移動子１２の摺動抵抗を調整することができる。
【００６６】
ここでは、ゲージ本体１１及び測定用移動子１２の突条部２１ｃ、２２ｃと溝部１７ｃ、１８ｃとの接触面積は、測定端部２３の頂部当接部１４からの突出量に拘わらず、常に一定であるため、測定端部２３の突出量が変化しても、摺動抵抗が変わらず、操作し易い。
【００６７】
更に、測定用移動子１２の拡幅部２２が案内部１６の帯状部摺動部１７の端部の段差受部１７ａに当接することにより、測定用移動子１２の測定端部２３の突出量が規制されているので、測定用移動子１２が突出方向側へ離脱することを防止することができる。
［実施の形態２］
【００６８】
図５（ａ）、（ｂ）は、実施の形態２を示している。
【００６９】
この実施の形態２の浮腫測定用ゲージは、ゲージ本体１１及び測定用移動子１２が樹脂により形成されており、ゲージ本体１１の案内部１６の帯状部摺動部１７の溝部１７ｃ及び拡幅部摺動部１８の溝部１８ｃの形状が、それぞれ所定の傾斜を有する断面略三角形の谷溝状を呈し、測定用移動子１２の帯状部２１の突条部２１ｃ及び拡幅部２２の突条部２２ｃの形状がゲージ本体１１の案内部１６の形状に対応して、所定の傾斜を有する断面略三角形のくさび形状を呈している。その他は、実施の形態１と同様である。
【００７０】
このような浮腫測定用ゲージであっても、実施の形態１と同様の作用効果が得られる。
【００７１】
特に、ここでは溝部１７ｃ、１８ｃが断面略三角形の谷溝状を呈し、突条部２１ｃ、２２ｃがくさび形状を呈しているので、傾斜角度の調整や先端或いは底部の調整により、帯状部摺動部１７と帯状部２１との間の摺動抵抗や、拡幅部摺動部１８と拡幅部２２との間の摺動抵抗を調整することができ、測定用移動子１２を移動させるのに要する荷重の調整が可能である。
［実施の形態３］
【００７２】
図６及び図７は、この実施の形態３を示している。
【００７３】
この実施の形態３の浮腫測定用ゲージ１０では、ゲージ本体１１及び測定用移動子１２が樹脂により形成されている。ここでは、移動阻止手段として、図７に示すように、測定用移動子１２の帯状部２１に、係止突起３５ａを先端に有する弾性係止片３５が設けられると共に、ゲージ本体１１の一方の帯状部摺動部１７には、弾性係止片３５の係止突起３５ａが係止可能な複数の係止凹部３６が設けられている。係止凹部３６は帯状部摺動部１７の長手方向に等間隔で多数設けられている。
【００７４】
弾性係止片３５では、その弾性力により係止突起３５ａが帯状部摺動部１７側に向けて僅かな付勢力で付勢されている。また、弾性係止片３５の係止突起３５ａ及び係止凹部３６が正面視で円弧形状を有しており、帯状部２１が帯状部摺動部１７内で摺動することで、係止突起３５ａと係止凹部３６とが容易に係止及び離脱可能となっている。
【００７５】
このような弾性係止片３５及び係止凹部３６は、第１層乃至第３層１２ａ、１２ｂ、１２ｃの何れか一つに、他の層と接合されない状態で設けられていてもよく、第１層乃至第３層１２ａ、１２ｂ、１２ｃに一体的に設けられていてもよい。
【００７６】
その他の構成は、実施の形態１と同様である。
【００７７】
このような構成の浮腫測定用ゲージ１０では、実施の形態１と同様の作用効果が得られる上、ゲージ本体１１に対して測定用移動子１２を移動させると、浮腫変形荷重より小さい荷重で容易に移動させることができ、移動後には、弾性係止片３５の係止突起３５ａと係止凹部３６とが係止された状態となるため、測定用移動子１２の自重による移動を確実に阻止することができる。
【００７８】
なお、この実施の形態３では、上述のような先端に係止突起３５ａを有する弾性係止片３５と係止凹部３６とに代えて、図８に示すように、測定用移動子１２の帯状部２１に帯状部摺動部１７側に向けて突出するストレート形状の弾性押圧片３７を設け、この弾性押圧片３７により、実施の形態１と同様に長手方向に一定断面形状で連続する帯状部摺動部１７を単に押圧するようにしてもよい。このようにしても、弾性押圧片３７により帯状部摺動部１７との間の摺動抵抗を増加することができるため、測定用移動子１２の自重による移動を阻止し易くできる。
【００７９】
また、この実施の形態３では、帯状部２１の側縁と帯状部摺動部１７の側縁とが、それぞれ長手方向に延びる突条部２１ｃ及び溝部１７ｃを備えた例について説明したが、測定用移動子１２を所定方向に案内可能であれば、帯状部２１の側縁と帯状部摺動部１７の側縁とが長手方向に延びる突条部２１ｃ及び溝部１７ｃを備えていなくてもよい。
［実施の形態４］
【００８０】
図９及び図１０は、この実施の形態４の浮腫測定用ゲージを示す。
【００８１】
この実施の形態４の浮腫測定用ゲージ４０では、測定用移動子１２は、一方の端部側に測定端部２３が設けられた帯状部２１を備え、他方の端部側に測定用移動子１２を測定端部２３が突出する方向に押圧可能な押圧部４３が設けられ、帯状部２１と押圧部４３との間に拡幅部２２が設けられている。拡幅部２２は、帯状部２１及び押圧部４３より拡幅して形成されており、拡幅部２２の帯状部２１側の端部に第１の段差部２２ａを備えると共に、拡幅部２２の押圧部４３側の端部に第２の段差部２２ｂを備えている。
【００８２】
ゲージ本体１１は、横長の略長方形形状を呈し、測定用移動子１２を摺動可能に収容する収容部１５が内部に形成されている。また、一方の長辺となる端縁には、平坦な頂部当接部１４が設けられ、頂部当接部１４とは反対側となる他方の端縁には、測定用移動子１２の押圧部４３が配置される押圧切欠部４１が厚さ方向に貫通して設けられている。ここでは、正面視において、押圧切欠部４１の面積は押圧部４３の面積より小さく形成されており、測定端部２３を収容した状態で、押圧部４３により押圧切欠部４１が完全に閉塞されるようになっている。このゲージ部本体１１では、両表面が押圧切欠部４１以外の開口部分のない平坦面となっている。  
【００８３】
測定用移動子１２を収容する収容部１５には、測定用移動子１２の帯状部２１を収容して案内する帯状部収容部４７と、拡幅部２２を収容して案内する拡幅部収容部４８と、押圧部４３を収容して案内する押圧部収容部４９が設けられると共に、第１の段差部２２ａが当接可能なストッパ手段としての第１の段差受部４４ａと、第２の段差部２２ｂが当接可能なストッパ手段としての第２の段差受部４４ｂとが備えられている。
【００８４】
この収容部１５では、測定用移動子１２を測定端部２３が突出する方向に摺動させると、第１の段差部２２ａが第１の段差受部４４ａに当接することにより摺動が規制され、測定端部２３が収容される方向に摺動させると、第２の段差部２２ｂが第２の段差受部４４ｂに当接することにより摺動が規制されるようになっており、測定用移動子１２のゲージ本体１１からの離脱が阻止されている。
【００８５】
このような浮腫測定用ゲージ４０のゲージ本体１１は、図１０（ａ）〜（ｃ）に示すように、実施の形態１と同様に、第１層１１ａ、第２層１１ｂ、第３層１１ｃからなる３層構造に形成されている。ここでは、正面視において、押圧部収容部４９は押圧切欠部４１より幅が広く形成されている。
【００８６】
測定用移動子１２は、図１０（ａ）、（ｂ）に示すように、ゲージ本体１１の各層の厚さと同一の厚さを有する紙からなる第１層１２ａ及び第２層１２ｂの積層体から構成されている。第２層１２ｂは帯状部２１、拡幅部２２、及び押圧部４３を構成しており、第１層１２ａ及び第３層１２ｃは、測定用移動子１２の操作性を向上するために押圧切欠部４１に配置される側面突出片４５を構成している。
【００８７】
このような浮腫測定用ゲージ１０であっても、実施の形態１と同様の作用効果が得られる。ここでは、頂部当接部１４が長方形形状のゲージ本体１１の長辺に設けられているため、浮腫の指圧痕３０の頂部３１間の距離が長くても使用することができ、使い勝手がよい。また、ゲージ本体１１と測定用移動子１２との間に指等が挟まれ易い開口部が設けられていないため、安全に使用し易い。更に、拡幅部２２の両側に設けられた第１及び第２の段差部２２ａ、２２ｂにより測定用移動子１２の移動量が規制され、ゲージ本体１１からの両側への離脱が阻止できるため、ゲージ本体１１の外部側に突出する部分を設ける必要がなく、構造も簡単にできる。
［実施の形態５］
【００８８】
図１１乃至図１３は、実施の形態５を示す。
【００８９】
この実施の形態５の浮腫測定用ゲージ５０では、ゲージ本体１１は、図１１及び図１３に示すように、一方の端縁に頂部当接部１４が設けられ、他方の端縁側に押圧部切欠部５５が設けられ、内部に測定用移動子１２の収容部１５が設けられている。収容部１５には、頂部当接部１４側に帯状部収容部４７が設けられ、反対側に帯状部摺動部４７より拡幅した拡幅部収容部４８が設けられている。この実施の形態５では、拡幅部摺動部４８に対応する表裏面に押圧部切欠部５５が設けられている。
【００９０】
また、この収容部１５に対応する部位の第１層１１ａには、図１１及び図１３（ａ）に示すように、頂部当接部１４側の端縁側に、帯状部収容部４７に対応する位置に、ゲージ本体１１の中央部側から頂部当接部１４まで達する所定長さの切欠状の開口部５１が設けられている。
【００９１】
測定用移動子１２は、図１１及び図１３（ｂ）に示されるように、ゲージ本体１１の頂部当接部１４側に配置される帯状部２１と、押圧部５２側に配置される拡幅部２２とを有し、この帯状部２１と拡幅部２２との間に段差部２２ａが形成されている。この実施の形態５では、拡幅部２２に押圧部５２が設けられており、この押圧部５２が押圧部切欠部５５に配置されている。この押圧部５２の押圧部切欠部５５から露出される表面には、図１１、図１２及び図１３（ａ）、（ｃ）に示すように、側面ストッパとしての第１の側面突出片５３が設けられ、また、帯状部２１の開口部５１から露出される表面には、図１１及び図１３（ａ）に示すように、開口部５１と略同一形状で、開口部５１に摺動可能に嵌合される側面ストッパとしての第２の側面突出片５４が設けられている。
【００９２】
ここでは、測定用移動子１２が、測定端部２３を最も収容させた状態では、開口部５１の端部に第２の側面突出片５４の端部が当接した状態となり、それ以上の上昇が規制される。一方、測定用移動子１２が測定端部２３を突出させる方向に移動されると、段差部２２ａが段差受部４７ａに当接し、または押圧部切欠部５５の頂部当接部１４側の端部に第１の側面突出片５３が当接することで、所定量以上の下降が規制されるようになっている。
【００９３】
その他は、実施の形態４と同様である。
【００９４】
このような構成を有する実施の形態５の浮腫指圧痕測定用ゲージ５０では、実施の形態４と同様に使用することができ、同様の作用効果を得ることができる。また、開口部５１及び押圧部切欠部５５から露出される測定用移動子１２の表面に、開口部５１及び押圧部切欠部５５と当接可能な第１及び第２の側面突出片５３、５４が設けられているので、ゲージ本体１１の外部側に突出する部分を設けることなく、測定用移動子１２のゲージ本体１１から両側への離脱が阻止でき、構造を簡単にできる。
［実施の形態６］
【００９５】
図１４は、実施の形態６を示す。
【００９６】
この実施の形態６の浮腫測定用ゲージ６０では、ゲージ本体１１の頂部当接部１４側に貫通角孔形状の開口部６１が設けられ、この開口部６１から露出される測定用移動子１２の拡幅部２２の表面に、側面突出片６２が設けられている。
【００９７】
ここでは、測定用移動子１２が、測定端部２３を最も収容させた状態では、開口部６１の上方の端部に側面突出片６２の上方の端部が当接した状態となり、それ以上の上昇が規制される。一方、測定用移動子１２が測定端部２３を突出させる方向に移動されると、開口部６１の下方の端部に側面突出片６２の下方の端部が当接した状態となり、所定量以上の下降が規制されるようになっている。
【００９８】
その他は、実施の形態５と同様である。
【００９９】
このような構成を有する実施の形態６の浮腫測定用ゲージ６０によれば、実施の形態５と同様の効果が得られ、また、測定用移動子１２がゲージ本体１１の収容部の内表面に接触する部分の面積を少なくすることができるため、摺動抵抗を低下することができる。
［実施の形態７］
【０１００】
図１５は実施の形態７を示す。
【０１０１】
この実施の形態７の浮腫測定用ゲージ７０は、略長方形形状を呈するゲージ本体１１の短辺の短縁に頂部当接部１４が設けられた縦型形状のものである。
【０１０２】
ここでは、測定用移動子１２に側方に突出して操作部７１が設けられ、この操作部７１がゲージ本体１１の側方に設けられた操作用切欠部７２に配置されており、操作部７１を把持して測定用移動子１２を上下動させることができるようになっている。
【０１０３】
また、ゲージ本体１１の内部に帯状部収容部４７が第１層１１ａと第３層１１ｃとの間に設けられており、測定用移動子１２の帯状部２１がその中を貫通している。
【０１０４】
その他は実施の形態１と同様である。
【０１０５】
このような構成を有する実施の形態７の浮腫測定用ゲージ７０では、実施の形態１と同様の作用効果を得ることができる。また、操作部７１により測定用移動子１２を上下動させることができるため、操作性を向上し易いと共に、この操作部７１がゲージ本体１１の操作用切欠部７２の内部に配置されているため、操作部７１がゲージ本体１１の平面視における略長方形形状の周囲の外側に突出せず、携帯し易い。
［実施の形態８］
【０１０６】
図１６は、実施の形態８を示す。
【０１０７】
この実施の形態８の浮腫測定用ゲージ８０は、測定用移動子１２の拡幅部２２に、貫通孔からなる操作用開口８１が設けられている他は、実施の形態１と同様である。
【０１０８】
このような構成を有する実施の形態８の浮腫測定用ゲージ８０によれば、実施の形態１と同様の作用効果を得ることができ、しかも、操作用開口８１が拡幅部２２に設けられているので、指を操作用開口８１に挿入して測定用移動子１２を上下動させることができ、操作性を向上し易い。
［実施の形態９］
【０１０９】
図１７は、実施の形態９を示す。
【０１１０】
この実施の形態９の浮腫測定用ゲージ９０は、測定用移動子１２の拡幅部２２と、測定用移動子１２が最も上昇した状態で拡幅部２２が当接するゲージ本体１１とに跨って貫通孔からなる操作用開口９１が設けられている他は、実施の形態８と同様である。
【０１１１】
このような構成を有する実施の形態９の浮腫測定用ゲージ９０によれば、実施の形態８と同様の作用効果を得ることができ、しかも、操作用開口９１が拡幅部２２とゲージ本体１１とに跨って形成されているので、測定用移動子１２の下降開始時には操作用開口９１内に指を挿入して操作でき、また、下降開始後には操作用開口９１のゲージ本体１１側の半円部９１ａと測定用移動子１２側の半円部９１ｂとが徐々に離間するため、その間に指を更に挿入して操作でき、操作し易い。
［実施の形態１０］
【０１１２】
図１８及び図１９には、実施の形態１０を示す。
【０１１３】
この実施の形態１０の浮腫測定用ゲージ１００は、２層構造に形成されており、ゲージ本体１１の第１層１１ａには、開口部１０１及び押圧用切欠部１０２が設けられ、第２層１１ｂには、帯状部摺動部１７及び拡幅部摺動部１８が設けられている。一方、測定用移動子１２は第２層１２ｂに設けられ、第１層１２ａには、開口部１０１内に配置される側面突出片１０３が設けられている。この側面突出片１０３は測定用移動子１２に固定して設けられており、この実施の形態１０ではリベット１０５により固定されている。
【０１１４】
ここでは、実施の形態６に比べ、測定用移動子１２の拡幅部２２の縦方向の長さが短く形成され、帯状部２１がその分長く形成されている。また、ゲージ本体１１の開口部１０１の縦方向の長さが側面突出片１０３の縦方向の長さより長く形成されている。そのため、測定用移動子１２が摺動できると共に、側面突出片１０３が開口部１０１の上下の端部と当接することで、測定用移動子１２の移動量が規制されている。
【０１１５】
また、この側面突出片１０３には、側方に突出して基準線２５が設けられており、測定用移動子１２の相対移動量が目盛部１３により把握できるようになっている。
【０１１６】
その他の構成は、実施の形態６と同様である。
【０１１７】
このような構成の浮腫測定用ゲージ１００によれば、実施の形態６と同様の効果が得られ、また、目盛部１３が読み取りやすい。
［実施の形態１１］
【０１１８】
図２０乃至図２２は、この実施の形態１１を示す。
【０１１９】
この実施の形態１１の浮腫測定用ゲージ１１０は、ゲージ本体１１１と、ゲージ本体１１１に移動可能に支持された測定用移動子１１２とを備え、それぞれの表面の対応する位置に、相対位置を表示する目盛部１１３が設けられている。
【０１２０】
ゲージ本体１１１は、図２０及び図２１に示すように、平面視における外周囲が縦長の略長方形を呈する板状体からなり、一方の端縁が浮腫に当接可能な平坦部位からなる頂部当接部１１４となっている。
【０１２１】
ゲージ本体１１１の幅方向中央付近の頂部当接部１１４寄りには、測定用移動子１１２を案内するための下部案内スリット１１６が、頂部当接部１１４に到達しない所定範囲に一対平行に設けられ、頂部当接部１１４とは反対側の端縁寄りにも、同じく測定用移動子１１２を案内するための上部案内スリット１１５が、端縁に達するように一対平行に設けられている。
【０１２２】
上部案内スリット１１５及び下部案内スリット１１６は何れも頂部当接部１１４と直交する方向に沿って設けられている。この実施の形態１１では、両者はそれぞれ同一直線上に形成され、更に、測定用移動子１１２の後述する移動子本体１１７と略同一幅で形成されている。
【０１２３】
測定用移動子１１２は、図２０及び図２２に示すように、ゲージ本体１１１の表面に隣接して平行に配置された板状体からなる移動子本体１１７を備えると共に、上部案内スリット１１５及び下部案内スリット１１６に対応する位置に移動子本体１１７に連結して設けられた上部支持部１１８及び下部支持部１１９を備えている。
【０１２４】
移動子本体１１７は、ゲージ本体１１１の縦方向の長さと略同一長さを有し、下部支持部１１９側の端部に、浮腫の指圧痕３０の中心部３０ａに当接可能な曲面形状の測定端部１２３が設けられている。また、移動子本体１１７の長手方向中間部分には、目盛部１１３を構成する基準線１２５が設けられている。
【０１２５】
上部支持部１１８及び下部支持部１１９は、移動体本体１１７の両側縁から背面側に接合された折曲形状を有し、各支持部１１８、１１９はそれぞれ移動体本体１１７から直角に背面側へ突出して各スリット１１５、１１６を貫通する立片部１１８ａ、１１９ａと、立片部１１８ａ、１１９ａからゲージ本体１１１の背面側に隣接して平行に延びる平行片１１８ｂ、１１９ｂとを備えている。
【０１２６】
この測定用移動子１１２では、長手方向に沿う上部支持部１１８及び下部支持部１１９の縦方向長さは各スリット１１５、１１６の長さより短く形成されており、各スリット１１５、１１６に沿って上部支持部１１８及び下部支持部１１９が摺動することで、測定用移動子１１２が摺動可能となっている。
【０１２７】
ゲージ本体１１１に対する測定用移動子１１２の摺動抵抗は、実施の形態１と同様に、浮腫変形荷重より小さい荷重で摺動可能であると共に、測定用移動子１１２の摺動方向が鉛直に配置された状態で、測定用移動子１１２の自重による摺動が阻止されるように調整されている。
【０１２８】
この浮腫測定用ゲージ１１０では、上部支持部１１８が上部案内スリット１１５の下端部と当接することで、測定用移動子１１２の下方への移動が規制され、下部支持部１１９が下部案内スリット１１６の上端部と当接することで、測定用移動素子１１２の上方への移動が規制されるようになっている。なお、下部支持部１１９が下部案内スリット１１６の下端部に当接することで、測定用移動子１１２の下方への移動が規制されるようにしてもよい。
【０１２９】
そして、このような浮腫測定用ゲージ１１０を用いて浮腫の指圧痕３０の深さを測定するには、実施の形態１と同様にして行うことができる。
【０１３０】
このような構成の浮腫測定用ゲージ１１０であっても、ゲージ本体１１１の頂部当接部１１４を指圧痕の周囲の頂部に当接させると共に、測定用移動子１１２の測定端部１２３を指圧痕の中心部に当接させ、ゲージ本体１１１に対する測定用移動子１１２の相対位置を目盛部１１３により読み取ることで、指圧痕の深さを定量的に測定することが可能である。その際、測定用移動子１１２がゲージ本体１１１に浮腫変形荷重より小さい荷重で摺動可能であるため、測定時に浮腫が変形されることを防止できる。
【０１３１】
更に、ゲージ本体１１１及び測定用移動子１１２が板状体からなるため、浮腫測定用ゲージ１１０が薄く、また、測定用移動子１１２が平面視においてゲージ本体１１１の外周より内側に配置されるように構成され、更に、測定用移動子１１２がゲージ本体１１１から離脱し難いので、携帯し易い。
［実施の形態１２］
【０１３２】
図２３及び図２４は、実施の形態１２を示す。
【０１３３】
この実施の形態１２の浮腫測定用ゲージ１２０は、ゲージ本体１１と測定用移動子１２とが、互いに対向する位置に隣接して配置されており、実施の形態１乃至１０のような収容部１５は設けられていない。
【０１３４】
ゲージ本体１１は横長形状の板状体からなり、一方の端縁に頂部当接部１４が設けられている。また、中間部分には頂部当接部１４と直交する方向のスリット１２６が左右一対形成されている。
【０１３５】
測定用移動子１２は、拡幅部２２がゲージ本体１１と略同一の幅を有しており、拡幅部２２の略中心に頂部当接部１４側に延び、先端に測定端部２３を備えた帯状部２１が設けられている。この測定用移動子１２の縦方向の長さはゲージ本体１１の縦方向の長さと略同一となっており、平面視において、測定用移動子１２はゲージ本体１１の外周以内に配置可能となっている。
【０１３６】
この測定用移動子１２は、図２４に示すように、背面側のスリット１２６に対応する位置に、スリット１２６を貫通する突出部１２８が、各スリット１２６毎に２個設けられている。ゲージ本体１１の背面側では、左右の突出部１２８間が２本の連結部材１２７により連結されている。
【０１３７】
このような浮腫測定用ゲージ１２０であっても、上述の各実施の形態と同様にして、ゲージ本体１１に対して測定用移動子１２を摺動させることにより、浮腫の指圧痕の深さを測定することが可能であり、また、携帯し易い。
［実施の形態１３］
【０１３８】
図２５乃至図２７は、実施の形態１３を示す。
【０１３９】
この実施の形態１３の浮腫測定用ゲージ１３０は、ゲージ本体１１と測定用移動子１２とが、互いに対向する位置に隣接して配置され、回動部１３１において開閉可能に連結されている。この回動部１３１では、ゲージ本体１１と測定用移動子１２とが頂部当接部１４と平行となるように各端縁に沿って配置された軸１３２に回動自在に支持され、バネ１３３により互いに閉じる方向に付勢されている。
【０１４０】
ゲージ本体１１は頂部当接部１４と平行に分割された３枚の分割板１３４ａ、１３４ｂ、１３４ｃから構成されている。分割板１３４ａには頂部当接部１４が設けられ、分割板１３４ｃには回動部１３１が設けられている。これらの分割板１３４ａ、１３４ｂ、１３４ｃは互いに隣接する分割板１３４ａ、１３４ｂ、１３４ｃ同士が、各端縁に設けられた回動部１３５ａ、１３５ｂにより、互いに回動自在に連結されている。各回動部１３５ａ、１３５ｂの回動軸はそれぞれ頂部当接部１４と平行となっている。
【０１４１】
測定用移動子１２は、拡幅部２２がゲージ本体１１と略同一の幅を有しており、拡幅部２２の回動部１３１とは反対側に、先端に測定端部２３を備えた帯状部２１が設けられている。この測定用移動子１２の縦方向の長さはゲージ本体１１の回動部１３１から測定端部２３までの長さと略同一となっており、平面視において、測定用移動子１２はゲージ本体１１の外周以内に配置可能となっている。
【０１４２】
また、図２６に示すように、拡幅部２２のゲージ本体１１の分割板１３４ａが対向して配置される部位の両側縁には、分割板１３４ａの各側縁を囲んで摺動可能に支持する断面略Ｌ字状の支持部１３６が設けられている。
【０１４３】
このような浮腫測定用ゲージ１３０では、ゲージ本体１１の分割板１３４ａを測定用移動子１２の拡幅部２２の支持部１３６内に配置して準備した後、ゲージ本体１１の分割板１３４ｃをバネ１３３の付勢力に抗して測定用移動子１２から離間する方向に回動させて開くと、分割板１３４ｃと分割板１３４ｂとの間が閉じる方向に回動して、分割板１３４ａを測定用移動子１２の面上で摺動させて相対移動させることができ、測定用移動子１２の帯状部２１の測定端部２３がゲージ本体１１の頂部当接部１４から突出させることができる。そのため、他の実施の形態と同様にして、浮腫の指圧痕の深さを測定することが可能である。
【０１４４】
また、測定後に、ゲージ本体１１を開放すれば、バネ１３３の付勢力により各分割板１３４ａ、１３４ｂ、１３４ｃを測定用移動子１２の表面に沿って配置することができ、ゲージ本体１１と測定用移動子１２とを重ねてカード状の形態にすることができる。そのため携帯が容易になる。
［実施の形態１４］
【０１４５】
図２８は、この実施の形態１４を示す。
【０１４６】
この実施の形態１４の浮腫測定用ゲージ１５０は、長方形の板形状のゲージ本体１１及びゲージ本体に嵌合及び離脱可能な一定幅の板形状の測定用移動子１２とからなる。
【０１４７】
ゲージ本体１１は、一方の面側に頂部当接部１４と直交方向に横断する溝からなるレール部１５１を有すると共に、中間部に長手方向に貫通孔からなる測定用移動子１２の収納部１５２が設けられている。
【０１４８】
測定用移動子１２は、ゲージ本体１１の収納部１５２内に嵌合して収納可能な外形形状を有し、ゲージ本体１１と略同一の肉厚を有している。また、両側縁１５３は、ゲージ本体１１のレール部１５１に面方向に沿って摺動できるように嵌合可能に構成されている。
【０１４９】
このような浮腫測定用ゲージ１５０では、使用時には、ゲージ本体１１のレール部１５１に測定用移動子１２が嵌合されて、頂部当接部１４に対して直交方向に摺動可能となっている。また、嵌合された状態で両端部がゲージ本体１１の外周から突出している。そのため、測定時に、測定用移動子１２が頂部当接部１４から自在に突出することができ、頂部当接部１４を浮腫の指圧痕３０の頂部間に架け渡すように当接させれば、他の実施の形態と同様に指圧痕３０の深さを測定することができる。
【０１５０】
一方、使用後、携帯する際には、測定用移動子１２をレール部１５１から離脱させ、ゲージ本体１１の収納部１５２に嵌合して収納することができる。そのため、携帯時にはカード形態にすることができ、携帯し易くできる。
［実施の形態１５］
【０１５１】
図２９及び図３０は、実施の形態１５を示す。
【０１５２】
この実施の形態１５の浮腫測定用ゲージ１６０は、長板形状のゲージ本体１６１と、このゲージ本体１６１と直交して摺動可能に支持された長板形状の測定用移動子１６２とからなる。
【０１５３】
ゲージ部本体１６１は、一方の端縁に頂部当接部１６４を有し、背面側に測定用移動子１６２を摺動自在に貫通させて支持する支持部１６３が設けられている。また、他方の端縁側に、測定用移動子１６２を背面側に押付けて摺動抵抗を付与する抵抗部１６５が、外側に突出して設けられている。
【０１５４】
測定用移動子１６２は、ゲージ本体１６１の支持部１６３及び抵抗部１６５を摺動可能可能となるように一定幅で形成されており、一方の端部に測定端部１６７を備えると共に、ゲージ本体１６１の支持部１６３又は抵抗部１６５と当接することにより、測定用移動子１６２の上下方向の所定量以上の摺動を阻止するストッパ１６６を両端部側に備えている。
【０１５５】
このような浮腫測定用ゲージ１６０は、ゲージ部本体１６１の頂部当接部１６４を浮腫の指圧痕３０の頂部３１に架け渡すように当接させて、測定用移動子１６２を頂部当接部１６４から突出させ、浮腫の指圧痕３０の中心部３０ａに当接させれば、他の実施の形態と同様に指圧痕３０の深さを測定することができる。
［実施の形態１６］
【０１５６】
図３１は、実施の形態１６を示す。
【０１５７】
この実施の形態１６の浮腫測定用ゲージ１７０は、円筒形の立体形状体としてのゲージ本体１７１と、ゲージ本体１７１の貫通孔１７１ａに貫通して摺動可能に配置された測定用移動子１７２とを備え、測定用移動子１７２の側面にはゲージ本体１７１との相対位置を表示するための目盛部１７３が設けられている。
【０１５８】
ゲージ本体１７１は、貫通孔１７１ａの軸方向に長尺の固定部としての円筒部１７１ｂを備え、平坦な面からなる頂部当接部１７４を備えた開閉当接部１７５が、円筒部１７１ｂの下端側に装着されている。開閉当接部１７５はゲージ本体１７１の円筒部１７１ｂの下端に、回動支持部１７６により一端側で支持されることにより開閉可能となっている。最も開いた状態では、頂部当接部１７４が円筒部１７１ｂの軸方向に対して直交する位置に配置されると共に、その位置で固定されるように構成されている。一方、固定を解除して最も閉じた状態とすれば、開閉当接部１７５が円筒部１７１ｂの表面に隣接して、円筒部１７１ｂの軸方向に沿って配置されるようになっている。
【０１５９】
一方、測定用移動子１７２は、ゲージ本体１７１の円筒部１７１ｂより長い円柱部１７２ａを備えており、円柱部１７２ａの両端側が円筒部１７１ｂから突出して配置されている。この円柱部１７２ａの両端には、貫通孔１７１ａより大きい断面形状に形成された拡大形状部からなる端部ストッパ１７７が設けられており、これらの端部ストッパ１７７により測定用移動子１７２がゲージ本体１７１から離脱することが阻止されている。
【０１６０】
下端側の端部ストッパ１７７の底面は曲面形状を有し、測定時に浮腫の指圧痕３０と当接可能な測定端部１７８となっている。一方、上端側の端部ストッパ１７７は、円筒部１７１ｂの上端側から突出しており、端部ストッパ１７７を押圧することで測定端部１７８の突出させることができるようになっており、端部ストッパ１７７により押圧部が構成されている。
【０１６１】
更に、この測定用移動子１７２の円柱部１７２ａは、円筒部１７１ｂに対して摺動容易に貫通さえており、ここでは、円柱部１７２ａ又は円筒部１７１ｂの一方に軸方向に浮腫変形荷重より小さい荷重を負荷しても摺動可能となっている。その一方で、円筒部１７１ｂを鉛直方向に配置した際に、下降しない程度となっている。
【０１６２】
このような浮腫測定用ゲージ１７０では、浮腫の指圧痕３０の深さを測定する際には、予め、開閉当接部１７５を展開してその状態で固定し、その後、他の実施の形態と同様に、浮腫の指圧痕３０の頂部３１に架け渡すようにゲージ本体１７１の頂部当接部１７４を当接すると共に、測定用移動子１７２の測定端部１７８を指圧痕３０の中心部３０ａに当接することにより、目盛部１７３により頂部当接部１７４の突出量を読み取ることで、深さを測定することができる。
【０１６３】
このような浮腫測定用ゲージ１７０では、測定用移動子１７２がゲージ本体１７１の頂部当接部１７４とは反対側の端部から突出しているので、端部ストッパ１７７を押圧することで、測定用移動子１７２を測定端部１７８側に容易に突出させることができて測定が容易である。
【０１６４】
その際、測定用移動子１７２がゲージ本体１７１に浮腫変形荷重より小さい荷重で摺動可能に支持されているので、指圧痕３０の周囲の頂部３１に当接させて測定用移動子１７２を摺動させる場合、指圧痕３０の周囲の頂部３１に過剰な荷重が負荷され難く、測定時に浮腫が変形されることを防止して精度よく指圧痕３０の深さを測定することができる。
【０１６５】
しかも、測定用移動子１７２の移動方向が鉛直に配置された状態であっても、測定用移動子１７２の自重による移動が阻止されているので、測定端部１７８を突出させた状態でゲージ本体１７１を浮腫から離して持上げても測定用移動子１７２が移動しないため目盛部１７３の表示が変化せず、使い勝手がよい。
【０１６６】
また、ゲージ本体１７２が、貫通孔１７１ａが設けられた円筒部１７１ｂと、円筒部１７１ｂに開閉可能に設けられた開閉当接部１７５とから構成されているので、使用時以外には頂部当接部１７４を閉じておくことができるため、嵩張らず携帯し易い。
【０１６７】
更に、端部ストッパ１７７が測定用移動子に貫通孔より大きい断面形状に形成された拡大形状部からなるので、簡単な構成で、確実に測定用移動子１７２がゲージ本体１７１から離脱するのを確実に防止することができる。
【０１６８】
また、測定用移動子１７２の測定端部１７８が端部ストッパ１７７に設けられており、曲面形状を呈するので、測定端部１７８を浮腫に当接させた際の患部への刺激を抑えることができる。
［実施の形態１７］
【０１６９】
図３２は、実施の形態１７を示す。
【０１７０】
この実施の形態１７の浮腫測定用ゲージでは、図３２に示すように、上方の端部ストッパ１７７が異なる測定用移動子１７２を用いる他は、全て実施の形態１６と同様である。
【０１７１】
この測定用移動子１７２では、端部ストッパ１８１が測定用移動子１７２の上端側から一方の放射方向に突出すると共に、測定用移動子１７２の円柱部１７２ａの表面に近接して軸方向に沿って下方に延びる弾性片１８２からなる。この弾性片１８２は、測定用移動子１７２に装着されたゲージ本体１７１の表面、或いは測定用移動子１７２の表面に、弾性により当接して配置され、これによりクリップ部１８３が構成されている。
【０１７２】
このような浮腫測定用ゲージでは、使用しない間、クリップ部１８３を用いて携帯することが可能であり、より携帯し易くできる。
［実施の形態１８］
【０１７３】
図３３乃至図３５は、実施の形態１８を示す。
【０１７４】
この実施の形態１８の浮腫測定用ゲージ１９０では、ゲージ本体１９１がリング形状部１９１ｂを有し、このリング形状部１９１ｂに開閉当接部１７５が開閉可能に設けられている。一方、測定用移動子１９２の両端には端部ストッパ１７７がなく、全長が略円柱形状を呈しており、下方の端部が浮腫の指圧痕３０の中心部３０ａに当接可能な測定端部１９５となっている。
【０１７５】
また、図３４、図３５に示すように、測定用移動子１９２の中間部の側面には、軸方向に沿う一対の溝部１９３が形成されている。この溝部１９３は測定用移動子１９２の両端部まで到達しない所定範囲に設けられている。一方、リング形状部１９１ｂの貫通孔１９１ａの内壁面には溝部１９３に摺動可能に嵌合する突部１９４が設けられている。そして、この溝部１９３と突部１９４とにより、ゲージ本体１９１に対する測定用移動子１９２の上下両端側の移動量を規制するための側面ストッパが構成されている。この側面ストッパでは、溝部１９３の最下端では、図３５に仮想線で示すように、リング形状部１９１ｂが測定端部１９５の位置に配置されるように構成されている。その他は、実施の形態１６と同様である。
【０１７６】
このような浮腫測定用ゲージ１９０であっても、実施の形態１６と同様の作用効果を有している。ここでは、溝部１９３及び突部１９４からなる側面ストッパを設けているので、端部ストッパ１７７のように外側に突出させる必要がなく、その分測定用移動子１９２を短くすることができ、また、測定用移動子１９２の外形形状を滑らかに形成し易い。更に、ゲージ本体１９１がリング形状であるので、測定用移動子１９２が短くても十分な移動量を確保することができ、測定用移動子１９２を更に短くすることができる。
［実施の形態１９］
【０１７７】
図３６乃至図３８は、実施の形態１９を示す。
【０１７８】
この実施の形態１９の浮腫測定用ゲージ２００は、板状体からなり、板厚方向に横断面四角形形状の貫通孔２０１ａを有するゲージ本体２０１と、貫通孔２０１ａに摺動可能に貫通して配置された測定用移動子２０２とからなっている。
【０１７９】
ゲージ本体は板圧方向の一方の表面が、浮腫の指圧痕３０の頂部３１に架け渡すように当接可能な平面状の頂部当接部２０４となっており、貫通孔２０１ａはこの頂部当接部２０４と直交する方向に設けられている。また、貫通孔２０１ａの内壁面には、後述する測定用移動子２０２に設けられる溝部２０３に摺動可能に嵌合する突部２０６が一対設けられている。
【０１８０】
測定用移動子２０２は、横断面四角形状の角柱部２０２ａを備え、この角柱部２０２ａの一方の端部に浮腫の指圧痕３０の中心部３０ａに当接可能な測定端部２０５が設けられると共に、他方の端部に貫通孔２０１ａより大きい横断面形状に形成された拡大形状部からなる端部ストッパ２０７が設けられている。また、角柱部２０２ａの側面には図３７に示すように溝部２０３が軸方向に沿って一対所定範囲に設けられている。この溝部２０３には、ゲージ本体２０１の突部２０６が摺動可能に嵌合されており、測定端部２０５側の下端部は、実施の形態１８と同様に、突部２０６が当接することにより、ゲージ本体２０１の頂部当接部２０４と測定用移動子２０２の測定端部２０５とが同一面に配置されるように形成されている。
【０１８１】
そして、この測定用移動子２０２の角柱部２０２ａは、長手方向中間位置に設けられた回動部２０８により折り畳み可能に連結されている。ここでは、図３８に示すように、ゲージ本体２０１を端部ストッパ２０７に当接させた状態で、角柱部２０２ａを略直角に折り畳むと、折り畳まれた角柱部２０２ａがゲージ本体２０１の頂部当接部２０４に隣接する位置に配置されるように構成されている。
【０１８２】
この浮腫測定用ゲージ２００では、測定時には、角柱部２０２ａを伸ばして頂部当接部２０４に対して直交方向に配置した状態で、他の実施の形態と同様に、ゲージ本体２０１を摺動させて、頂部当接部２０４を浮腫の指圧痕３０の頂部３１に架け渡すように当接させると共に、測定用移動子２０２の測定端部２０５を指圧痕３０の中心部３０ａの当接させることで、測定端部２０５の頂部当接部２０４からの突出量により指圧痕３０の深さを測定することができる。
【０１８３】
また、測定後に携帯するには、ゲージ本体２０１を上昇させて端部ストッパ２０７に当接させ、回動部２０８により角柱部２０２ａを中間位置で折り畳み、折り畳まれた角柱部２０２ａをゲージ本体２０１に沿って配置して携帯することができる。
【０１８４】
従って、このような浮腫測定用ゲージ２００によれば、ゲージ本体２０１が頂部当接部２０４方向に延びる板状体からなり、測定用移動子２０２が折り畳み可能に構成されているので、面状に広がる頂部当接部２０４を用いて浮腫の指圧痕３０の周囲の頂部３１の広い範囲に当接させることができ、指圧痕３０に対して測定用移動子２０２を直角に配置することが容易であり、精度よく指圧痕の深さを測定することが可能である。また、携帯時には、測定用移動子２０２を折り畳むことで、嵩張らない形状にすることができるため、携帯し易い。
［実施の形態２０］
【０１８５】
図３９乃至図４１は、実施の形態２０を示す。
【０１８６】
この実施の形態２０の浮腫測定用ゲージ２１０は、開閉可能な立体形状片２１１ａを一対備えたゲージ本体２１１と、一対の立体形状片２１１ａの間に配置されてゲージ本体２１１が摺動可能な測定用移動子２１２とを備えている。
【０１８７】
測定用移動子２１２は、円柱部２１２ａの両端に、円柱部２１２ａより横断面形状が大きい端部ストッパ２１６を備え、一方の端部ストッパ２１６の端面に浮腫の指圧痕３０の中心部３０ａに当接可能な測定端部２１４を設けた構成を有している。また、円柱部２１２ａの側面には軸方向に沿ってレール部２１７が設けられており、ゲージ本体２１１に対して摺動する際にレール部２１７により案内されるようになっている。
【０１８８】
ゲージ本体２１１は、一対の半円筒形状を有する立体形状片２１１ａが、一端側に設けられた回動部２１３により回動可能に連結されて構成されている。両立体形状片２１１ａが閉じた状態では、図３９に示すように、立体形状片２１１ａの両側縁２１１ｂが略対向配置されて、測定用移動子２１２を囲む略円筒形状を呈している。
【０１８９】
各立体形状部２１１ａの回動部２１３側には半円形の括れ部２１１ｃがそれぞれ設けられていて、各立体形状部２１１ａを回動部２１３を支点に回動させて展開させたとき、図４０に示すように、各括れ部２１１ｃ間で円柱部２１２ａを挟持できるようになっている。
【０１９０】
また、両立体形状片２１１ａが展開させた状態では、各立体形状片２１１ａの両側縁２１１ｂが、それぞれ測定用移動子２１２の測定端部２１４側に配向し、測定用移動子２１２の円柱部２１２ａの軸方向と直交方向の同一面に配置される。この側縁２１１ｂにより、浮腫の指圧痕周囲の頂部に架け渡すように当接される頂部当接部が構成されるようになっている。
【０１９１】
そして、この展開状態で、ゲージ本体２１１に対して測定用移動子２１２が頂部当接部を構成する各側縁２１１ｂに対して直交方向に摺動可能とされ、括れ部２１１ｃ間の適度な摺動抵抗が得られるようになっている。
【０１９２】
このような浮腫測定用ゲージ２１０により浮腫の指圧痕３０の深さを測定するには、図４０に示すように、立体形状片２１１ａを展開させた状態で、頂部当接部を構成する各側縁２１１ｂを浮腫の指圧痕３０の周囲に形成される頂部３１にそれぞれ当接させると共に、測定用移動子２１２をゲージ本体２１１に対して摺動させて指圧痕３０の中心部３０ａに測定端部２１４を当接させることにより、他の実施の形態と同様に指圧痕３０の深さを測定することができる。
【０１９３】
また、測定後に携帯する際には、ゲージ本体２１１を上方に移動させ、各立体形状片２１１ａを閉じて筒状にする。そして、図４１に示すように、回動部２１３とは反対側の端部を、端部ストッパ２１６に設けられた円形の溝２１８に挿入する。これにより、各立体形状片２１１ａが筒状に維持され、浮腫測定用ゲージ２１０全体が、図３９に示すように略円柱状の形態となる。そのため、小型化できて携帯が容易になる。
［実施の形態２１］
【０１９４】
図４２は、実施の形態２１を示す。
【０１９５】
この浮腫測定用ゲージ２２０は、ゲージ本体２２１が筒部２２１ａを備え、この筒部２２１ａの側面に一対の開閉当接部２２３が回動部２２５により開閉可能に設けられている。各開閉当接部２２３は軸心を介して反対方向に広がるように構成され、先端にはローラ２２６が設けられている。このローラ２２６に代えて、皮膚に対して摺動性の高い摺動材料が装着されていてもよい。そして、この開閉当接部２２３は、最大に展開した状態で、ゲージ本体１７１の下端と同一面上で、測定用移動子１７２の軸心を挟んで略１８０°反対方向に配置されるように構成されている。その他は、実施の形態１６と同様である。
【０１９６】
このような浮腫測定ゲージ２２０では、使用時に一対の開閉当接部２２０を最大に展開した状態とし、一対のローラ２２６からなる頂部当接部を、浮腫の指圧痕３０の頂部３１に架け渡すように当接し、測定用移動子１７２を摺動させることにより、他の実施の形態と同様に指圧痕３０の深さを測定することができる。
【０１９７】
このような浮腫測定用ゲージでは、使用時に展開させていた開閉当接部２２０を、携帯時には閉じることができるので、携帯し易く、実施の形態１６と同様の作用効果を得ることができる。
［実施の形態２２］
【０１９８】
図４３は、実施の形態２２を示す。
【０１９９】
この実施の形態２２の浮腫測定用ゲージ２３０は、板状体からなり、板厚方向に貫通孔２３１ａを有するゲージ本体２３１と、貫通孔２３１ａに貫通して配置された測定用移動子２３２とからなっている。
【０２００】
ゲージ本体は板圧方向の一方の表面が、浮腫の指圧痕３０の頂部３１に架け渡すように当接可能な平面状の頂部当接部２３４となっており、貫通孔２３１ａはこの頂部当接部２３４と直交する方向に設けられている。また、貫通孔２３１ａの内壁面には、雌ねじが設けられている。
【０２０１】
測定用移動子２３２は、貫通孔２３１ａと螺合可能な雄ねじが略全長に設けられ、一方の端部に浮腫の指圧痕３０の中心部３０ａに当接可能な測定端部２３５が設けられると共に、他方の端部に貫通孔２３１ａより大きい横断面形状に形成された拡大形状部からなる端部ストッパ２３７が設けられている。
【０２０２】
この浮腫測定用ゲージ２３０では、測定用移動子２３２とゲージ本体２３１とを相対回転させることで、測定端部２３５を頂部当接部２３４に対して突出又は収容方向に移動させることができる。そして、測定時には、頂部当接部２３４を浮腫の指圧痕３０の頂部３１に架け渡すように当接させると共に、測定端部２３５を指圧痕３０の中心部３０ａの当接させることで、測定端部２３５の頂部当接部２３４からの突出量により指圧痕３０の深さを測定することが可能である。
［実施の形態２３］
【０２０３】
図４４は、実施の形態２３を示す。
【０２０４】
この実施の形態２３の浮腫測定用ゲージ２４０では、開閉可能な板又棒状の開閉当接片２４１ａを一対備えたゲージ本体２４１と、ゲージ本体２４１が移動可能に支持された測定用移動子２４２とを備えている。
【０２０５】
測定用移動子２４２は、円柱形状を呈し、側面略全長には雄ねじが設けられ、一方の端部に浮腫の指圧痕３０の中心部３０ａに当接可能な測定端部２４４を有している。
【０２０６】
ゲージ本体２４１は、測定用移動子２４２に螺合された筒部２４１ｂを備え、各開閉当接片２４１ａの一端側が回動部２４３により筒部２４１ｂに回動可能に連結されている。両開閉当接片２４１ａが閉じた状態では、一対の開閉当接片２４１ａと測定用移動子２４２とが同じ方向に向けて並べて配置されている。そして、測定時には、両開閉当接片２４１ａを展開させれば、各開閉当接片２４１ａの一方の側縁からなる頂部当接部２４４が測定用移動子２４２と直交方向に延びるようになっている。
【０２０７】
このような浮腫測定用ゲージ２４０により浮腫の指圧痕３０の深さを測定するには、図４４に示すように、開閉当接片２４１ａを展開させた状態で、頂部当接部２４４を浮腫の指圧痕３０の周囲に形成される頂部３１にそれぞれ当接させると共に、測定用移動子２４２をゲージ本体２４１に対して回転させて移動させ、指圧痕３０の中心部３０ａに測定端部２４４を当接させることにより、他の実施の形態と同様に指圧痕３０の深さを測定することができる。
【０２０８】
また、測定後に携帯する際には、ゲージ本体２４１を測定用移動子２４２の端部側に移動させて、各開閉当接片２４１ａを閉じて、両開閉当接片２４１ａと測定用移動子２４２とを並べた状態にすることができる。これにより、浮腫測定用ゲージ２４０全体が、小型化できて携帯が容易になる。
［実施の形態２４］
【０２０９】
図４５は、実施の形態２４を示す。
【０２１０】
この実施の形態２４の浮腫測定用ゲージ２５０では、ゲージ本体２５１が支持部２５１ａを備え、この支持部２５１ａに複数本の開閉当接部２５３が開閉可能に設けられている。各開閉当接部２５３は支持部２５１ａの軸心から放射方向に広がるように構成されている。この開閉当接部２５３は、最大に展開した状態で、先端２５３ａが支持部２５１ａの軸心と直交する同一面上に配置されて頂部当接部を構成するようになっている。また、支持部２５１ａの軸心方向に設けられた貫通孔２５１ｂには雌ねじが設けられている。
【０２１１】
一方、測定用移動子２５２は、支持部２５１ａと螺合可能な雄ねじが全長に設けられた軸部２５２ａを備え、軸部２５２ａの上端には支持部２５１ａより大きい断面形状を有する端部ストッパ２５５が設けられている。
【０２１２】
このような浮腫測定ゲージ２５０では、測定時に、開閉当接部２５３を最大に展開した状態とし、各開閉当接部２５３の先端からなる頂部当接部を、浮腫の指圧痕３０の頂部３１に架け渡すように当接させ、測定用移動子２５２を支持部２５１ａに対して回転させることにより、頂部当接部に対して測定用移動体２５２の端部からなる測定端部２５４を指圧痕３０の中心部３０ａに当接させ、頂部当接部からの測定端部２５４の突出量を測定用移動体２５２の軸部２５２ａに対する支持部２５１ａの位置から読み取り、これにより、他の実施の形態と同様に指圧痕３０の深さを測定することができる。
【０２１３】
このような浮腫測定用ゲージでは、使用時に展開させていた開閉当接部２５３を、携帯時には閉じることができるので、携帯し易い。
【図面の簡単な説明】
【０２１４】
【図１】この発明の実施の形態１の浮腫測定用ゲージの正面図である。
【図２】同実施の形態１の浮腫測定用ゲージの分解図であり、（ａ）は第１層、（ｂ）は第２層、（ｃ）は第３層を示す
【図３】（ａ）は図１のＡ−Ａ断面図、（ｂ）は同図１のＢ−Ｂ断面図を示す。
【図４】同実施の形態１の浮腫測定用ゲージの使用状態を示す図である。
【図５】この発明の実施の形態２の浮腫測定用ゲージを示し、（ａ）は図１のＡ−Ａ断面相当図、（ｂ）は同図１のＢ−Ｂ断面相当図である。
【図６】この発明の実施の形態３の浮腫測定用ゲージの正面図である。
【図７】同実施の形態３の移動阻止手段を示す拡大図である。
【図８】同実施の形態３の移動阻止手段の変形例を示す拡大図である。
【図９】この発明の実施の形態４の浮腫測定用ゲージの正面図である。
【図１０】同実施の形態４の浮腫測定用ゲージの分解図であり、（ａ）は第１層、（ｂ）は第２層、（ｃ）は第３層を示す。
【図１１】この発明の実施の形態５の浮腫測定用ゲージの正面図である。
【図１２】この発明の実施の形態５の浮腫測定用ゲージの背面図である。
【図１３】同実施の形態５の浮腫測定用ゲージの分解図であり、（ａ）は第１層、（ｂ）は第２層、（ｃ）は第３層を示す。
【図１４】この発明の実施の形態６の浮腫測定用ゲージの正面図である。
【図１５】この発明の実施の形態７の浮腫測定用ゲージの正面図である。
【図１６】この発明の実施の形態８の浮腫測定用ゲージの正面図である。
【図１７】この発明の実施の形態９の浮腫測定用ゲージの正面図である。
【図１８】この発明の実施の形態１０の浮腫測定用ゲージの正面図である。
【図１９】同実施の形態１０の浮腫測定用ゲージの分解図であり、（ａ）は第１層、（ｂ）は第２層を示す。
【図２０】この発明の実施の形態１１の浮腫測定用ゲージを示し、（ａ）正面図、（ｂ）は（ａ）のＣ−Ｃ断面図である。
【図２１】同実施の形態１１のゲージ本体の正面図である。
【図２２】同実施の形態１１の測定用移動子の正面図である。
【図２３】この発明の実施の形態１２の浮腫測定用ゲージの正面側斜視図である。
【図２４】同実施の形態１２の浮腫測定用ゲージの背面側斜視図である。
【図２５】この発明の実施の形態１３の浮腫測定用ゲージの正面側斜視図である。
【図２６】同実施の形態１３の浮腫測定用ゲージの一部を拡大して示す斜視図である。
【図２７】同実施の形態１３の使用状態を示す斜視図である。
【図２８】この発明の実施の形態１４の浮腫測定用ゲージの正面側斜視図である。
【図２９】この発明の実施の形態１５の浮腫測定用ゲージの正面図である。
【図３０】同実施の形態１５の浮腫測定用ゲージの背面図である。
【図３１】この発明の実施の形態１６の浮腫測定用ゲージの斜視図である。
【図３２】この発明の実施の形態１７の浮腫測定用ゲージの測定用移動子を示す
【図３３】この発明の実施の形態１８の浮腫測定用ゲージの斜視図である。
【図３４】同実施の形態１８の浮腫測定用ゲージのリング形状部の位置の端面図である。
【図３５】同実施の形態１８の浮腫測定用ゲージの縦断面図である。
【図３６】この発明の実施の形態１９の浮腫測定用ゲージの斜視図である。
【図３７】同実施の形態１９の浮腫測定用ゲージのゲージ本体が配置された部位の横断面図である。
【図３８】同実施の形態１９の浮腫測定用ゲージのゲージ本体が折り畳まれた状態を示す斜視図である。
【図３９】この発明の実施の形態２０の浮腫測定用ゲージの斜視図であり、立体形状片を閉じた状態を示す。
【図４０】同実施の形態２０の浮腫測定用ゲージの斜視図であり、立体形状片を展開した状態を示す。
【図４１】同実施の形態２０の浮腫測定用ゲージの斜視図であり、立体形状片を閉じて収容途中の状態を示す。
【図４２】この発明の実施の形態２１の浮腫測定用ゲージの斜視図である。
【図４３】この発明の実施の形態２２の浮腫測定用ゲージの斜視図である。
【図４４】この発明の実施の形態２３の浮腫測定用ゲージの斜視図である。
【図４５】この発明の実施の形態２４の浮腫測定用ゲージの斜視図である。
【符号の説明】
【０２１５】
１０  浮腫測定用ゲージ
１１  ゲージ本体
１２  測定用移動子
１３  目盛部
１４  頂部当接部
１５  収容部
１６  案内部
１７  帯状部摺動部
１７ａ  段差受部
１７ｃ  溝部
１８  拡幅部摺動部
１８ｃ  溝部
２１  帯状部
２１ｃ  突条部
２２  拡幅部
２２ａ  段差部
２２ｃ  突条部
２３  測定端部
３０  指圧痕
３０ａ  中心部
３１  頂部
４１  押圧切欠き部
４３  押圧部
４５  側面突出片
【図１】
2008093158.tif 000003
【図２】
2008093158.tif 000004
【図３】
2008093158.tif 000005
【図４】
2008093158.tif 000006
【図５】
2008093158.tif 000007
【図６】
2008093158.tif 000008
【図７】
2008093158.tif 000009
【図８】
2008093158.tif 000010
【図９】
2008093158.tif 000011
【図１０】
2008093158.tif 000012
【図１１】
2008093158.tif 000013
【図１２】
2008093158.tif 000014
【図１３】
2008093158.tif 000015
【図１４】
2008093158.tif 000016
【図１５】
2008093158.tif 000017
【図１６】
2008093158.tif 000018
【図１７】
2008093158.tif 000019
【図１８】
2008093158.tif 000020
【図１９】
2008093158.tif 000021
【図２０】
2008093158.tif 000022
【図２１】
2008093158.tif 000023
【図２２】
2008093158.tif 000024
【図２３】
2008093158.tif 000025
【図２４】
2008093158.tif 000026
【図２５】
2008093158.tif 000027
【図２６】
2008093158.tif 000028
【図２７】
2008093158.tif 000029
【図２８】
2008093158.tif 000030
【図２９】
2008093158.tif 000031
【図３０】
2008093158.tif 000032
【図３１】
2008093158.tif 000033
【図３２】
2008093158.tif 000034
【図３３】
2008093158.tif 000035
【図３４】
2008093158.tif 000036
【図３５】
2008093158.tif 000037
【図３６】
2008093158.tif 000038
【図３７】
2008093158.tif 000039
【図３８】
2008093158.tif 000040
【図３９】
2008093158.tif 000041
【図４０】
2008093158.tif 000042
【図４１】
2008093158.tif 000043
【図４２】
2008093158.tif 000044
【図４３】
2008093158.tif 000045
【図４４】
2008093158.tif 000046
【図４５】
2008093158.tif 000047